(57)【要約】【課題】センサーレンズのレンズ面の曲率半径の減少を抑えるとともに、受光部上の戻り光のスポットの大きさを確保しながら、センサーレンズと受光部との間の距離を小さくすることができる光ピックアップ装置を提供する。【解決手段】レーザ光を出力する光源３０と、光源３０から発したレーザ光を光ディスク６に収束する対物レンズ３８と、光ディスク６で反射した戻り光が入射するレンズ面４８を有し、且つ、戻り光に非点収差を生じさせるセンサーレンズ４０と、センサーレンズ４０を透過した戻り光を受光し、且つ、受光した戻り光に基づいてフォーカスエラー信号を生成する受光素子４２と、を備え、レンズ面４８は、第１の方向に第１の曲率半径を有し、且つ、第１の方向と直交する第２の方向に第１の曲率半径と異なる第２の曲率半径を有する。【選択図】図６
2015001997.tif 000002
【特許請求の範囲】
【請求項１】
レーザ光を出力する光源と、
前記光源から発した前記レーザ光を光ディスクに収束する対物レンズと、
前記光ディスクで反射した戻り光が入射又は出射するレンズ面を有し、且つ、前記戻り光に非点収差を生じさせるセンサーレンズと、
前記センサーレンズを透過した前記戻り光を受光し、且つ、受光した前記戻り光に基づいてフォーカスエラー信号を生成する受光部と、を備え、
前記レンズ面は、第１の方向に第１の曲率半径を有し、且つ、前記第１の方向と直交する第２の方向に前記第１の曲率半径と異なる第２の曲率半径を有する
光ピックアップ装置。
【請求項２】
前記レンズ面は、前記第１の方向に凹であり、且つ、前記第２の方向に凸である
請求項１に記載の光ピックアップ装置。
【請求項３】
前記センサーレンズは、さらに、前記レンズ面とは反対側に設けられた球面を有している
請求項１又は２に記載の光ピックアップ装置。
【請求項４】
前記レンズ面の光軸と前記球面の光軸とは一致している
請求項３に記載の光ピックアップ装置。
【発明の詳細な説明】
【技術分野】
【０００１】
本発明は、光ディスクに記録された情報の読み出し又は光ディスクへの情報の書き込みを行うための光ピックアップ装置に関する。
【背景技術】
【０００２】
光ディスクに記録された情報の読み出し又は光ディスクへの情報の書き込みを行うための光ピックアップ装置が知られている（例えば、特許文献１参照）。光ピックアップ装置は、光源、対物レンズ、センサーレンズ及び受光部を備えている。光源から発したレーザ光は、対物レンズによって光ディスクの記録面に収束される。光ディスクの記録面で反射した戻り光は、センサーレンズによって非点収差が与えられた後に、受光部によって受光される。受光部は、受光した戻り光に基づいて、フォーカスエラー信号を生成する。なお、フォーカスエラー信号とは、対物レンズからのレーザ光の焦点位置を光ディスクの記録面に合わせるためのフォーカスサーボ制御に用いられる制御信号である。
【０００３】
従来の光ピックアップ装置では、センサーレンズのレンズ面は、シリンドリカル面で構成されている。センサーレンズのレンズ面には、光ディスクの記録面で反射した戻り光が入射する。
【先行技術文献】
【特許文献】
【０００４】
【特許文献１】特開２０１１−４０１２３号公報
【発明の概要】
【発明が解決しようとする課題】
【０００５】
近年、光ピックアップ装置が搭載された機器の小型化に伴って、光ピックアップ装置を小型化することが要望されている。光ピックアップ装置を小型化するためには、光ピックアップ装置の各部品間の距離を小さくする必要がある。センサーレンズと受光部との間の距離を小さくした際に、所望のフォーカスエラー信号を生成するためには、センサーレンズのレンズ面の曲率半径を小さくする必要がある。例えば、センサーレンズと受光部との間の距離を３．０ｍｍ以下にする場合には、センサーレンズのレンズ面の曲率半径を３．０ｍｍ以下にする必要がある。しかしながら、センサーレンズのレンズ面の曲率半径を小さくした場合には、センサーレンズの組み立てバラツキが生じやすくなるため、光ピックアップ装置の性能が安定しないという課題が生じる。
【０００６】
なお、センサーレンズのレンズ面の曲率半径を変更せずに、センサーレンズと受光部との間の距離を小さくする方法も考えられる。この場合、センサーレンズと受光部との間の光学距離を大きくするために、センサーレンズと受光部との間にガラス等の光学部品を配置する必要がある。しかしながら、センサーレンズと受光部との間の光学距離が大きくなることにより、受光部上の戻り光のスポットの大きさが小さくなるので、戻り光のスポットの位置ずれ感度が高くなるという課題が生じる。
【０００７】
本発明は、上述した課題を解決しようとするものであり、その目的は、センサーレンズのレンズ面の曲率半径の減少を抑えるとともに、受光部上の戻り光のスポットの大きさを確保しながら、センサーレンズと受光部との間の距離を小さくすることができる光ピックアップ装置を提供することである。
【課題を解決するための手段】
【０００８】
上記目的を達成するために、本発明の一態様に係る光ピックアップ装置は、レーザ光を出力する光源と、前記光源から発した前記レーザ光を光ディスクに収束する対物レンズと、前記光ディスクで反射した戻り光が入射又は出射するレンズ面を有し、且つ、前記戻り光に非点収差を生じさせるセンサーレンズと、前記センサーレンズを透過した前記戻り光を受光し、且つ、受光した前記戻り光に基づいてフォーカスエラー信号を生成する受光部と、を備え、前記レンズ面は、第１の方向に第１の曲率半径を有し、且つ、前記第１の方向と直交する第２の方向に前記第１の曲率半径と異なる第２の曲率半径を有する。
【０００９】
一般に、センサーレンズと受光部との間の距離を小さくした場合に、所望のフォーカシングエラー信号を生成するためには、センサーレンズのレンズ面の曲率半径を小さくする必要がある。本態様によれば、センサーレンズのレンズ面はいわゆるバイコーニック面であるので、レンズ面全体の曲率半径の減少を、レンズ面の第１の曲率半径及び第２の曲率半径の各々に担わせることができる。これにより、第１の曲率半径及び第２の曲率半径の各々の減少を抑えながら、センサーレンズと受光素子との間の距離を小さくすることができる。その結果、センサーレンズの組み立てバラツキを抑えることができ、光ピックアップ装置の性能を安定させることができる。さらに、第１の曲率半径及び第２の曲率半径の各々を減少させるので、センサーレンズと受光部との間の光学距離を大きくするためのガラス等の光学部品をセンサーレンズと受光部との間に配置する必要がない。そのため、受光部上の戻り光のスポットの大きさを確保することができ、受光部上の戻り光のスポットの位置ずれ感度を低く抑えることができる。
【００１０】
例えば、本発明の一態様に係る光ピックアップ装置において、前記レンズ面は、前記第１の方向に凹であり、且つ、前記第２の方向に凸であるように構成してもよい。
【００１１】
本態様によれば、レンズ面は、第１の方向に凹であり、且つ、第２の方向に凸であるので、レンズ面の形状が球面に近付くのを抑制することができ、戻り光に非点収差を効果的に生じさせることができる。
【００１２】
例えば、本発明の一態様に係る光ピックアップ装置において、前記センサーレンズは、さらに、前記レンズ面とは反対側に設けられた球面を有しているように構成してもよい。
【００１３】
本態様によれば、センサーレンズは、さらに、レンズ面とは反対側に設けられた球面を有しているので、第１の曲率半径又は第２の曲率半径を大きくなる方向に緩和することができる。これにより、レンズ面の形状が球面に近付くのを抑制することができ、戻り光に非点収差を効果的に生じさせることができる。
【００１４】
例えば、本発明の一態様に係る光ピックアップ装置において、前記レンズ面の光軸と前記球面の光軸とは一致しているように構成してもよい。
【００１５】
本態様によれば、レンズ面の光軸と球面の光軸とは一致しているので、戻り光に非点収差を安定して生じさせることができる。
【発明の効果】
【００１６】
本発明の一態様に係る光ピックアップ装置によれば、センサーレンズのレンズ面の曲率半径の減少を抑えるとともに、受光部上の戻り光のスポットの大きさを確保しながら、センサーレンズと受光部との間の距離を小さくすることができる。
【図面の簡単な説明】
【００１７】
【図１】実施の形態に係る光ピックアップ装置が搭載された光ディスク装置の外観を示す斜視図である。
【図２】図１の光ディスク装置のローダユニットを示す平面図である。
【図３】実施の形態に係る光ピックアップ装置の構成を示す斜視図である。
【図４】センサーレンズによって戻り光に非点収差が生じる様子を模式的に示す斜視図である。
【図５Ａ】戻り光を受光した受光素子の受光面を示す図である。
【図５Ｂ】戻り光を受光した受光素子の受光面を示す図である。
【図５Ｃ】戻り光を受光した受光素子の受光面を示す図である。
【図６】実施の形態に係るピックアップ装置のセンサーレンズを示す斜視図である。
【図７】図６中のＡ−Ａ線により切断したセンサーレンズの断面図である。
【図８】図６中のＢ−Ｂ線により切断したセンサーレンズの断面図である。
【図９】受光面上の戻り光のスポットの直径と位置ずれ感度との関係を示すグラフである。
【図１０】センサーレンズの実施例及び比較例を示す表である。
【発明を実施するための形態】
【００１８】
以下、実施の形態に係る光ピックアップ装置について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００１９】
（実施の形態）
［光ディスク装置の概略構成］
まず、図１及び図２を参照しながら、実施の形態に係る光ピックアップ装置が搭載された光ディスク装置の概略構成について説明する。図１は、実施の形態に係る光ピックアップ装置が搭載された光ディスク装置の外観を示す斜視図である。図２は、図１の光ディスク装置のローダユニットを示す平面図である。
【００２０】
図１及び図２に示すように、光ピックアップ装置２は、例えば、光ディスク装置４に搭載されている。光ディスク装置４は、光ディスク６に記録された情報の再生及び光ディスク６への情報の記録を行うためのブルーレイディスク（ＢＤ：Ｂｌｕ−ｒａｙ（登録商標）  Ｄｉｓｃ）レコーダである。なお、光ディスク６は、例えば、ブルーレイディスク、デジタル多用途ディスク（ＤＶＤ：Ｄｉｇｉｔａｌ  Ｖｅｒｓａｔｉｌｅ  Ｄｉｓｃ）又はコンパクトディスク（ＣＤ：Ｃｏｍｐａｃｔ  Ｄｉｓｃ）である。
【００２１】
光ディスク装置４の筐体８には、ディスクトレイ１０と、ディスクトレイ１０の下側に配置されたローダユニット１２とが搭載されている。
【００２２】
図１に示すように、ディスクトレイ１０は、光ディスク６を載置するためのものである。ディスクトレイ１０は、筐体８の内部に設けられた駆動機構（図示せず）によって、筐体８の外部に引き出される引出し位置と、筐体８の内部に収納される収納位置との間を往復移動可能である。ディスクトレイ１０が引出し位置に移動することにより、光ディスク６をディスクトレイ１０に載置する（又は、光ディスク６をディスクトレイ１０から取り出す）ことができる。
【００２３】
図２に示すように、ローダユニット１２は、ローダ本体１４と、ローダ本体１４に対して昇降可能に設けられたトラバースユニット１６と、を備えている。トラバースユニット１６には、ターンテーブル１８を回転させるためのスピンドルモータ（図示せず）が取り付けられている。ターンテーブル１８は、光ディスク６を載せるためのものである。
【００２４】
トラバースユニット１６には、さらに、一対のガイド軸２０，２２が取り付けられている。これら一対のガイド軸２０，２２には、光ディスク６に記録された情報の読み出し及び光ディスク６への情報の書き込みを行うための光ピックアップ装置２が移動可能に支持されている。トラバースユニット１６には、さらに、光ピックアップ装置２を駆動するためのステッピングモータ２４が取り付けられている。ステッピングモータ２４の駆動力が光ピックアップ装置２に伝達されることによって、光ピックアップ装置２は、一対のガイド軸２０，２２に沿って光ディスク６の径方向に往復移動可能である。光ピックアップ装置２の構成については後述する。
【００２５】
［光ピックアップ装置の構成］
次に、図３〜図５Ｃをも参照しながら、光ピックアップ装置２の構成について説明する。図３は、実施の形態に係る光ピックアップ装置の構成を示す斜視図である。図４は、センサーレンズによって戻り光に非点収差が生じる様子を模式的に示す斜視図である。図５Ａ〜図５Ｃはそれぞれ、戻り光を受光した受光素子の受光面を示す図である。
【００２６】
図２に示すように、光ピックアップ装置２は、ハウジング２６を有している。ハウジング２６には、ＢＤ用の光学系２８と、ＤＶＤ及びＣＤ用の光学系（図示せず）とが収納されている。ディスクトレイ１０に載置された光ディスク６がＢＤである場合には、ＢＤ用の光学系２８が用いられる。一方、ディスクトレイ１０に載置された光ディスク６がＤＶＤ又はＣＤである場合には、ＤＶＤ及びＣＤ用の光学系が用いられる。なお、ＢＤ用の光学系２８とＤＶＤ及びＣＤ用の光学系とはほぼ同様の構成を有しているので、以下では、ＢＤ用の光学系２８の構成についてのみ説明する。
【００２７】
図３に示すように、ＢＤ用の光学系２８は、光源３０、ビームスプリッタ３２、コリメータレンズ３４、立ち上げミラー３６、対物レンズ３８、センサーレンズ４０及び受光素子４２（受光部を構成する）を有している。
【００２８】
光源３０は、例えばＢＤ用のレーザ光（例えば、波長４０５ｎｍ帯のレーザ光）を出力するレーザダイオードである。
【００２９】
ビームスプリッタ３２は、光源３０から発したレーザ光の光路上に配置されている。ビームスプリッタ３２は、光源３０から発したレーザ光を反射し、且つ、光ディスク６の記録面６ａで反射されたレーザ光（以下、「戻り光」という）を透過させる。
【００３０】
コリメータレンズ３４は、ビームスプリッタ３２で反射されたレーザ光の光路上に配置されている。コリメータレンズ３４は、ビームスプリッタ３２で反射されたレーザ光を平行光に変換する。
【００３１】
立ち上げミラー３６は、ビームスプリッタ３２で反射されたレーザ光の光路上に配置されている。立ち上げミラー３６には、コリメータレンズ３４で平行光に変換されたレーザ光が入射する。立ち上げミラー３６は、入射したレーザ光を光ディスク６の記録面６ａに対して略垂直な方向に反射する。
【００３２】
対物レンズ３８は、立ち上げミラー３６と光ディスク６との間におけるレーザ光の光路上に配置されている。対物レンズ３８は、立ち上げミラー３６で反射されたレーザ光を光ディスク６の記録面６ａに収束する。図２に示すように、対物レンズ３８は、ハウジング２６の上面に露出されている。なお、ハウジング２６の上面には、さらに、ＤＶＤ及びＣＤ用の光学系の対物レンズ４４が露出されている。
【００３３】
センサーレンズ４０は、ビームスプリッタ３２を透過した戻り光の光路上に配置されている。センサーレンズ４０は、ビームスプリッタ３２を透過した戻り光に非点収差を生じさせる。これにより、図４に示すように、センサーレンズ４０を透過した戻り光の形状は、センサーレンズ４０の光軸上の位置によって、横長の楕円形状、円形状、縦長の楕円形状のように変化する。本実施の形態の光ピックアップ装置２では、センサーレンズ４０の形状に特徴がある。センサーレンズ４０の形状については後述する。
【００３４】
受光素子４２は、ビームスプリッタ３２を透過した戻り光の光路上に配置されている。受光素子４２は、例えばセンサーレンズ４０を透過した戻り光を受光するフォトダイオードである。図５Ａに示すように、受光素子４２は、戻り光を受光するための受光面４６を有している。受光面４６は、センサーレンズ４０の光軸を中心として、４個の受光領域４６ａ，４６ｂ，４６ｃ，４６ｄに分割されている。受光素子４２は、４個の受光領域４６ａ，４６ｂ，４６ｃ，４６ｄの各々における受光量の総和を、再生信号として再生回路（図示せず）に出力する。
【００３５】
受光素子４２は、さらに、４個の受光領域４６ａ，４６ｂ，４６ｃ，４６ｄの各々で受光した戻り光に基づいて、フォーカスエラー（ＦＥ：Ｆｏｃｕｓ  Ｅｒｒｏｒ）信号を生成する。４個の受光領域４６ａ，４６ｂ，４６ｃ，４６ｄにおける受光量をそれぞれＡ，Ｂ，Ｃ，Ｄとしたとき、フォーカスエラー信号は、（Ａ＋Ｃ）−（Ｂ＋Ｄ）で表される。すなわち、受光素子４２は、（Ａ＋Ｃ）−（Ｂ＋Ｄ）を算出することによって、フォーカスエラー信号を生成する。
【００３６】
なお、フォーカスエラー信号は、対物レンズ３８からのレーザ光の焦点位置を光ディスク６の記録面６ａに合わせるためのフォーカスサーボ制御に用いられる。ここで、フォーカスサーボ制御について簡単に説明する。対物レンズ３８からのレーザ光の焦点位置が光ディスク６の記録面６ａに合っている場合には、図５Ａ中の破線で示すように、受光素子４２の受光面４６で受光される戻り光のスポット形状は円形状となる。このとき、フォーカスエラー信号は、（Ａ＋Ｃ）−（Ｂ＋Ｄ）＝０となる。
【００３７】
対物レンズ３８からのレーザ光の焦点位置が光ディスク６の記録面６ａよりも手前側にずれている場合には、図５Ｂ中の破線で示すように、受光素子４２の受光面４６で受光される戻り光のスポット形状は横長の楕円形状となる。このとき、フォーカスエラー信号は、（Ａ＋Ｃ）−（Ｂ＋Ｄ）＜０となる。
【００３８】
対物レンズ３８からのレーザ光の焦点位置が光ディスク６の記録面６ａよりも奥側にずれている場合には、図５Ｃ中の破線で示すように、受光素子４２の受光面４６で受光される戻り光のスポット形状は縦長の楕円形状となる。このとき、フォーカスエラー信号は、（Ａ＋Ｃ）−（Ｂ＋Ｄ）＞０となる。
【００３９】
フォーカスサーボ制御では、フォーカスエラー信号に基づいて、対物レンズ３８からのレーザ光の焦点位置が光ディスク６の記録面６ａからずれているかを検出する。対物レンズ３８からのレーザ光の焦点位置が光ディスク６の記録面６ａからずれている場合には、フォーカスエラー信号が（Ａ＋Ｃ）−（Ｂ＋Ｄ）＝０となるように、アクチュエータ（図示せず）によって対物レンズ３８を光ディスク６に対して移動させる。
【００４０】
［レーザ光の進路］
次に、図３を参照しながら、光ピックアップ装置２におけるレーザ光の進路について説明する。図３において、光ディスク６までのレーザ光の往路を実線で表し、光ディスク６からのレーザ光の復路を一点鎖線で表している。
【００４１】
図３に示すように、光源３０から発したレーザ光は、ビームスプリッタ３２で反射された後に、コリメータレンズ３４に入射する。コリメータレンズ３４によって平行光に変換されたレーザ光は、立ち上げミラー３６で反射された後に、対物レンズ３８に入射する。対物レンズ３８から出射したレーザ光は、光ディスク６の記録面６ａに収束される。
【００４２】
光ディスク６の記録面６ａで反射された戻り光は、対物レンズ３８によって平行光に変換された後に、立ち上げミラー３６に入射する。立ち上げミラー３６で反射された戻り光は、コリメータレンズ３４によって収束光に変換された後に、ビームスプリッタ３２を透過する。ビームスプリッタ３２からの戻り光は、センサーレンズ４０を透過した後に、受光素子４２の受光面４６に受光される。
【００４３】
［センサーレンズの形状］
次に、図６〜図８を参照しながら、本実施の形態の光ピックアップ装置２の特徴である、センサーレンズ４０の形状について説明する。図６は、実施の形態に係るピックアップ装置のセンサーレンズを示す斜視図である。図７は、図６中のＡ−Ａ線により切断したセンサーレンズの断面図である。図８は、図６中のＢ−Ｂ線により切断したセンサーレンズの断面図である。
【００４４】
図６に示すように、センサーレンズ４０は、ビームスプリッタ３２を透過した戻り光が入射するレンズ面４８を有している。レンズ面４８は、第１の方向（Ｘ軸方向）に第１の曲率半径Ｒ１を有し、且つ、第１の方向と直交する第２の方向（Ｙ軸方向）に第２の曲率半径Ｒ２を有する、いわゆるバイコーニック面である。第１の曲率半径Ｒ１及び第２の曲率半径Ｒ２は、互いに異なる大きさである。図７及び図８に示すように、レンズ面４８は、第１の方向に凹であり、且つ、第２の方向に凸である。例えば、第１の曲率半径Ｒ１は、−４．０〜−３．０ｍｍであり、第２の曲率半径Ｒ２は、＋８．８〜＋２０．０ｍｍである。なお、図６において、レンズ面４８に付した格子状の線は、曲面の形状を表現するための線である。
【００４５】
図７及び図８に示すように、センサーレンズ４０は、さらに、レンズ面４８に入射した戻り光が出射する球面５０を有している。球面５０は、凹面であり、レンズ面４８とは反対側に設けられている。レンズ面４８の光軸Ｃ１と球面５０の光軸Ｃ２とは一致している。球面５０の曲率半径は、例えば＋５．５〜＋７．０ｍｍである。
【００４６】
［効果］
次に、本実施の形態の光ピックアップ装置２により得られる効果について説明する。センサーレンズ４０と受光素子４２との間の距離Ｄ（図３参照）を小さくした場合に、所望のフォーカシングエラー信号を生成するためには、センサーレンズ４０のレンズ面４８の曲率半径を小さくする必要がある。本実施の形態では、センサーレンズ４０のレンズ面４８はバイコーニック面であるので、レンズ面４８全体の曲率半径の減少を、レンズ面４８の第１の曲率半径Ｒ１及び第２の曲率半径Ｒ２の各々に担わせることができる。これにより、第１の曲率半径Ｒ１及び第２の曲率半径Ｒ２の各々の減少を抑えながら、センサーレンズ４０と受光素子４２との間の距離Ｄを小さくすることができる。例えば、第１の曲率半径Ｒ１を−４．０〜−３．０ｍｍとし、第２の曲率半径Ｒ２を＋８．８〜＋２０．０ｍｍとした場合には、センサーレンズ４０と受光素子４２との間の距離Ｄを３．０ｍｍ以下にすることができる。その結果、センサーレンズ４０の組み立てバラツキを抑えることができ、光ピックアップ装置２の性能を安定させることができる。
【００４７】
さらに、第１の曲率半径Ｒ１及び第２の曲率半径Ｒ２の各々を減少させるので、センサーレンズ４０と受光素子４２との間にガラス等の光学部品を配置する必要がない。そのため、受光素子４２の受光面４６上の戻り光のスポットの大きさを確保することができる。図９は、受光面上の戻り光のスポットの直径と位置ずれ感度との関係を示すグラフである。図９において、ＰＤ−Ｘは、受光領域４６ａ及び受光領域４６ｂの配置方向（Ｘ方向とする）におけるスポットの位置ずれ感度を表し、ＰＤ−Ｙは、受光領域４６ａ及び受光領域４６ｄの配置方向（Ｙ方向とする）におけるスポットの位置ずれ感度を表している。４個の受光領域４６ａ，４６ｂ，４６ｃ，４６ｄにおける受光量をそれぞれＡ，Ｂ，Ｃ，Ｄとしたとき、ＰＤ−Ｘ及びＰＤ−Ｙはそれぞれ、次式１及び２に基づいて算出される。
【００４８】
ＰＤ−Ｘ＝｛（Ａ＋Ｄ）−（Ｂ＋Ｃ）｝／（Ａ＋Ｂ＋Ｃ＋Ｄ）    （式１）
ＰＤ−Ｙ＝｛（Ａ＋Ｂ）−（Ｃ＋Ｄ）｝／（Ａ＋Ｂ＋Ｃ＋Ｄ）    （式２）
【００４９】
図９に示すように、受光面４６上の戻り光のスポットの直径が大きいほど、受光面４６上の戻り光のスポットの位置ずれ感度は低くなる。従って、本実施の形態では、受光面４６上の戻り光のスポットの大きさを確保することができるので、受光面４６上の戻り光のスポットの位置ずれ感度を低く抑えることができる。
【００５０】
さらに、センサーレンズ４０には球面５０が設けられているので、第２の曲率半径Ｒ２を大きくなる方向に緩和することができる。これにより、センサーレンズ４０のレンズ面４８の形状が球面に近付くのを抑制することができ、戻り光に非点収差を効果的に生じさせることができる。
【００５１】
［実施例及び比較例］
次に、本実施の形態による効果、すなわち、第１の曲率半径Ｒ１及び第２の曲率半径Ｒ２の各々の減少を抑えるとともに、受光面４６上の戻り光のスポットの大きさを確保しながら、センサーレンズ４０と受光素子４２との間の距離Ｄを小さくすることができる効果について、図１０を参照しながら説明する。図１０は、センサーレンズの実施例及び比較例を示す表である。
【００５２】
実施例１及び２ではそれぞれ、センサーレンズとして、上記実施の形態のセンサーレンズ４０を用いた。比較例では、センサーレンズとして、レンズ面がシリンドリカル面である従来のシリンドリカルレンズを用いた。なお、比較例のセンサーレンズでは、レンズ面と反対側に球面が設けられている。
【００５３】
図１０に示すように、比較例のセンサーレンズでは、センサーレンズと受光素子との間の距離を２．９ｍｍとした場合、レンズ面の曲率半径Ｒ１は−２．８〜−２．５ｍｍであった。また、受光面上の戻り光のスポットの直径は、７４μｍであった。
【００５４】
これに対して、実施例１のセンサーレンズでは、センサーレンズと受光素子との間の距離を２．９ｍｍとした場合、第１の曲率半径Ｒ１は−４．０〜−３．０ｍｍであり、第２の曲率半径Ｒ２は＋２００〜＋１０００ｍｍであった。また、受光面上の戻り光のスポットの直径は、７４μｍであった。
【００５５】
さらに、実施例２のセンサーレンズでは、センサーレンズと受光素子との間の距離を２．９ｍｍとした場合、第１の曲率半径Ｒ１は−４．０〜−３．０ｍｍであり、第２の曲率半径Ｒ２は＋８．８〜＋２０．０ｍｍであった。また、受光面上の戻り光のスポットの直径は、８５μｍであった。
【００５６】
以上のことから、上記実施の形態のセンサーレンズでは、第１の曲率半径Ｒ１及び第２の曲率半径Ｒ２の各々の減少を抑えるとともに、受光面上の戻り光のスポットの大きさを確保しながら、センサーレンズと受光素子との間の距離を小さくすることができると言える。
【００５７】
以上、本発明の実施の形態に係る光ピックアップ装置について説明したが、本発明は、この実施の形態に限定されるものではない。
【００５８】
上記実施の形態では、光ピックアップ装置はブルーレイディスクレコーダであるが、これに限定されず、例えば光ディスクに記録された情報の再生を行うためのブルーレイディスクプレーヤでもよい。あるいは、光ピックアップ装置は、例えばＤＶＤレコーダ、ＤＶＤプレーヤ又はＣＤプレーヤ等でもよい。
【００５９】
上記実施の形態では、センサーレンズに球面を設けたが、この球面を省略することもできる。
【００６０】
上記実施の形態では、センサーレンズのレンズ面に戻り光が入射するように構成したが、センサーレンズのレンズ面から戻り光が出射するように構成することもできる。この場合には、ビームスプリッタを透過した戻り光は、センサーレンズの球面に入射した後に、センサーレンズのレンズ面から出射する。
【００６１】
上記実施の形態では、センサーレンズのレンズ面は、第１の方向に凹であり、且つ、第２の方向に凸であるが、これとは反対に、第１の方向に凸であり、且つ、第２の方向に凹であってもよい。あるいは、センサーレンズのレンズ面は、第１の方向及び第２の方向にそれぞれ凸であってもよく、第１の方向及び第２の方向にそれぞれ凹であってもよい。
【産業上の利用可能性】
【００６２】
本発明の光ピックアップ装置は、例えば、ブルーレイディスクレコーダ等の光ディスク装置に搭載することができる。
【符号の説明】
【００６３】
２  光ピックアップ装置
４  光ディスク装置
６  光ディスク
８  筐体
１０  ディスクトレイ
１２  ローダユニット
１４  ローダ本体
１６  トラバースユニット
１８  ターンテーブル
２０，２２  ガイド軸
２４  ステッピングモータ
２６  ハウジング
２８  ＢＤ用の光学系
３０  光源
３２  ビームスプリッタ
３４  コリメータレンズ
３６  立ち上げミラー
３８，４４  対物レンズ
４０  センサーレンズ
４２  受光素子
４６  受光面
４６ａ，４６ｂ，４６ｃ，４６ｄ  受光領域
４８  レンズ面
５０  球面
【図１】
2015001997.tif 000003
【図２】
2015001997.tif 000004
【図３】
2015001997.tif 000005
【図４】
2015001997.tif 000006
【図５Ａ】
2015001997.tif 000007
【図５Ｂ】
2015001997.tif 000008
【図５Ｃ】
2015001997.tif 000009
【図６】
2015001997.tif 000010
【図７】
2015001997.tif 000011
【図８】
2015001997.tif 000012
【図９】
2015001997.tif 000013
【図１０】
2015001997.tif 000014